(57)【特許請求の範囲】
【請求項１】
複数の物品間口のそれぞれに装着され直線駆動手段によって円筒体を回動可能とした回動手段であって、前記直線駆動手段への駆動力の付与によって所定の物品間口のゲートの俯仰動作をする回動手段と、
物品間口の中身が見える程度に物品間口上方の円筒体に配されてなる板状のゲートであって、物品間口の幅サイズに応じて、ゲートの幅員を変更可能となるように配される板状のゲートと、
前記円筒体に設けられる保持部材であって、高い段位置にある物品間口と比較して低い段位置にある物品間口はゲートを大きく開き、前記高い段位置にある物品間口はゲートを小さく開くという人間工学的な開度調整を可能にする保持部材と
を備えることを特徴とするゲートアソート装置。
【請求項２】
前記ゲートの俯仰動作範囲を規制すべく前記円筒体に俯仰角度調整機構を有するストッパーを備えた請求項１に記載のゲートアソート装置。
【請求項３】
前記ストッパーは、仰角時の上限を規制する突起を備えた仰角ストッパーと、俯角時の下限を規制する突起を備えた俯角ストッパーと、の少なくともいずれか一つを有する請求項２に記載のゲートアソート装置。
【請求項４】
前記ゲートは、表側は暗色、裏側は明色で施色した軽量で緩衝作用を有する材料を用いた残像効果機構を備えることで、人間工学的な残像機能を発揮し、仰角時の認識も容易となり、軽量で緩衝作用を有することで、ゲートに不用意にぶつかっても怪我を生じることがない請求項１もしくは２に記載のゲートアソート装置。
【発明の詳細な説明】
【技術分野】
【０００１】  本発明は、収集した物品を配送先毎に仕分けを行う物品仕分け作業の誤作業を防止するゲートアソート装置に関する。
【背景技術】
【０００２】  従来、特許文献１に開示されているように、複数の区画に区画され、各区画に指定された物品を投入するようにした物品仕分部と、前記物品を収容するトレーと、前記トレーを置くトレー載置台とを備えた物品仕分設備が存在する。すなわち、前記物品仕分部には、前記各区画の前面に設けられた開閉扉と、該開閉扉を開閉するアクチュエータとが備えられ、前記トレーの底には、前記指定された物品を投入する区画及び個数を指定するトレー情報が書かれたＩＤカードが置かれ、前記トレー載置台には、前記トレー情報を読むＩＤカードリーダーと、前記個数を表示する表示部と、前記開閉扉を閉じるときに押す投入完了スイッチ及び投入キャンセルスイッチと、前記アクチュエータ及び前記表示部を制御するコントローラとが備えられ、前記コントローラは、前記ＩＤカードリーダーで呼んだ前記トレー情報で指定された区画の開閉扉を開かせるとともに前記個数を前記表示部に表示させ、前記投入完了スイッチ又は投入キャンセルスイッチが押されたときに前記開閉扉を閉じさせる。
【先行技術文献】
【特許文献】
【０００３】
【特許文献１】特許第４１１９８６１号公報
【発明の概要】
【発明が解決しようとする課題】
【０００４】  しかしながら、上記した特許文献１の場合、開閉扉は物品仕分け作業において、物品間口の開閉扉の俯仰位置が各段区画で変えられないため、人間工学な観点から認知対応に乏しい。しかも、物品仕分部の横幅サイズに応じて開閉扉の幅員を変えることはなされていない。また、開閉扉の開閉位置を特定する具体的な構成については、開示されていない。【０００５】  そこで、本発明は、叙上のような従来存した諸事情に鑑み案出されたもので、上下方向へ物品間口の段数が多くなった場合に、各段の物品間口のゲートの俯仰位置を作業がし易い位置に設定することが可能となることで、特に低い段位置の物品開口への人間工学を利用した認知強化機構を付与し、さらに部品間口の横幅サイズに応じてゲートの幅員を変えることができるゲートアソート装置を提供することを目的とする。
【課題を解決するための手段】
【０００６】  上述した課題を解決するために、本発明にあっては、直線駆動手段によって円筒体を回動可能とした回動手段を、複数の物品間口のそれぞれに装着し、前記直線駆動手段への駆動力の付与によって所定の物品間口のゲートの俯仰動作をするもので、物品間口の中身が見える程度に物品間口上方の円筒体に板状のゲートが配されており、物品間口の幅サイズに応じて、ゲートの幅員を変更可能となるよう、円筒体に保持部材を設けており、高い段位置にある物品間口に比較し、低い段位置にある物品間口はゲートをより大きく開く、人間工学を利用した認知強化機構を付与可能にする。【０００７】  ゲートの俯仰動作範囲を規制すべく円筒体に俯仰角度調整機構を有するストッパーを備えた。【０００８】  ストッパーは、少なくともどちらか一つに、仰角時の上限を規制する突起を備えた仰角ストッパーか、俯角時の下限を規制する突起を備えた俯角ストッパーかのいずれかを有する。【０００９】  ゲートは、表側は暗色、裏側は明色で施色した軽量で緩衝作用を有する材料を用いた残像効果機構を備えることで、人間工学的な残像効果を発揮し、仰角時の認識も容易となり、軽量で緩衝作用を有することで、ゲートに不用意にぶつかっても怪我を生じることがない。
【発明の効果】
【００１０】  本発明によれば、上下方向へ物品間口の段数が多くなった場合に、各段の物品間口のゲートの俯仰位置を作業がし易い位置に設定することが可能となることで人間工学を利用した認知強化機構を付与し、部品間口の横幅サイズに応じてゲートの幅員を変えることができるゲートアソート装置を提供することができる。
【図面の簡単な説明】
【００１１】
【図１】  本発明を実施するための一形態を示すゲートアソート装置を配した物品間口の正面図である。
【図２】  ゲートアソート装置を示す拡大した正面図である。
【図３Ａ】  ゲートの回動手段のカムフォロア部の中心軸と垂直方向におけるカムフォロア取付環状体部分の断面図である。
【図３Ｂ】  ゲートの回動手段のカムフォロア部の中心軸と垂直方向におけるストッパー部分の断面図である。
【図４】  円筒カムの前後を中心軸を含む面で切断した断面図である。
【発明を実施するための形態】
【００１２】  以下、図面を参照して本発明の実施の一形態に係るゲートアソート装置１を詳細に説明する。
【００１３】  本実施形態に係るゲートアソート装置１は、図１及び図２に示すように、縦方向フレーム３ａ、横方向フレーム、および横方向フレームの前面に設けた回動手段保持フレーム３ｃ、および棚板で形成した、縦４段、横４列の物品間口５を備え、各物品間口５の上部に、回動手段保持フレーム３ｃに取り付けた回動手段１１を装着している。
【００１４】  また、物品間口５の中身が見える程度に物品間口５上方に配した円筒体１３に板状のゲート７が配されている。前記回動手段１１は、直線駆動手段４０によって円筒体１３を回動可能とし、複数の物品間口５のそれぞれに装着し、前記直線駆動手段４０への駆動力の付与によって所定の物品間口５のゲート７の俯仰動作をする。
【００１５】  図３Ａ及び図４に示すように、円筒体１３にはカムフォロア取付環状体１７が設けられ、これにはカムフォロア１８を装着し、前記円筒体１３内に設けた円筒体１３の軸方向への直線運動を行う円筒カム５０から前記円筒体１３を回転する駆動力をカムフォロア１８によって与えている。
【００１６】  円筒体１３には円筒カム５０が配され、これの後端部に直線駆動手段４０の駆動軸４２を結合し、回動可能に保持した円筒体１３内に、円筒カム５０の中心軸を前記円筒体１３の中心軸とを一致させて配置している。そして、円筒カム５０の軸方向の中心面との交点をとおり、先端部側に前記中心面と垂直な各区画面に垂直をなしたカム斜面５２ａと、前記カム斜面５２ａと円筒カム５０の中心軸上の点を中心点とした点対称であるカム斜面５２ｂを有している。また、前記直線駆動手段４０には、前記円筒カム５０の前記中心軸の周りの回転を防止する回転防止手段４４を設けている。これにより円筒カム５０の直線駆動に伴い前記カムフォロア１８がカム斜面５２ａ、５２ｂに沿って移動しながら円筒体１３は回転する。
【００１７】  直線駆動手段４０は、空気ピストンを備えたエアアクチュエーター、リニアモータアクチュエーター等を用いることができるが、構造が簡単なエアアクチュエーターを用いることが好ましい。また、駆動軸の回転防止機構が備わったエアアクチュエーターを用いた場合には、上記した回転防止手段４４を装着しなくてもよい。
【００１８】  このとき、物品間口５の横幅サイズに応じて、ゲート７の幅員を変更可能となるようにしている。すなわち、円筒体１３の両端に取り付けた固定用環状体１５に保持部材６が取り付けており、各ゲート７は、保持部材６の略コ字型の溝状部にはまり込んで、ネジ部材８によりねじ止めされている。ゲート７の幅員を変える場合には、このねじ止めされている部分を取り外し、物品間口５の横幅サイズに応じたゲート７に交換してねじ止めする。
【００１９】  図２及び図３Ｂに示すように、円筒体１３には、ゲート７の俯仰動作範囲を規制すべく円筒体１３に俯仰角度調整機能を有する二つのストッパー（３１ａ，３１ｂ）を備え、ストッパー（３１ａ，３１ｂ）のうちどちらか一つが、仰角時の上限を規制する突起３２ａを備えた仰角ストッパー３１ａであり、他の一つが俯角時の下限を規制する突起３２ｂを備えた俯角ストッパー３１ｂである。このストッパー（３１ａ，３１ｂ）の各突起（３２ａ，３２ｂ）は、円筒体１３の両端部を保持する略コ字型の支持体１４に突き当たって円筒体１３の回動を停止させる。この場合、支持体１４の突き当て面には、弾性シート３３が貼着され、ストッパー（３１ａ，３１ｂ）が支持体１４に突き当たっても、金属音が発生しないようになっている。
【００２０】  例えば、固定用環状体１５に隣接して、俯仰位置を特定する二つのストッパー（３１ａ，３１ｂ）を装着している。それぞれのストッパー（３１ａ，３１ｂ）を仰角時および俯角時のゲートの位置を個別に設定することができる。したがって、上下方向へ物品間口５の段数が多くなった場合には、各段の物品間口５のゲート７の俯仰位置を作業がし易い位置に設定することが可能となる。例えば、低い位置にある物品間口５はゲート７を大きく開き、高い位置にある物品間口５はゲート７を小さく開くという、人間工学的な開度調整を可能にしている。
【００２１】  また、ゲート７は、表側は黒色、裏側は明色で施色した発泡ポリスチロール材のような軽量で緩衝作用を有する材料が好ましい。この施色により、人間工学的に残像効果機能を発揮し、仰角時にどの物品間口５に物品を投入するかという認識をさらに高めるとともに、作業員の手がゲート７に当ったとしても怪我を未然に防ぐことができる。
【００２２】  次に、本実施形態において、各物品間口５への物品仕分け作業である場合を例にして説明する。
【００２３】  図１において、物品を収納した物品容器２０が配送されて来ると、作業者は物品容器識別情報２１を読取手段２４によって読み取ると、制御装置２５は、読み取った物品容器識別情報２１に対応する物品仕分け情報を受信して物品仕分け作業を開始する。
【００２４】  次いで、物品容器２０から取り出した物品２２の物品識別情報２３を読取手段２４によって読み取ると、制御装置２５は、物品仕分け情報に対応した物品間口５に装着した回動手段１１を作動し、該当の物品間口５のゲート７を開く。このとき、仰角ストッパー３１ａの仰角時の上限を規制する突起３２ａが支持体１４の突き当て面に備えた弾性シート３３に当接する。
【００２５】  作業者は、ゲート７が開いた物品間口５に対して物品２２を投入し、フットスイッチ３４を足で踏むことによって、制御装置２５に対して、現在の物品間口５への投入完了の確認信号を送信する。
【００２６】  また、作業の完了信号の入力後に、ゲート７を閉じるとともにスピーカ２６から音声で「サンキュー」等と作業者に伝える。このとき、俯角ストッパー３１ｂの俯角時の下限を規制する突起３２ｂが支持体１４の突き当て面に備えた弾性シート３３に当接する。これにより作業者は、物品仕分け作業の進行状態を充分に認識することができ、より作業の誤りが生じにくい物品仕分け作業を行うことができる。
【００２７】  物品間口５の横幅サイズに応じて、ゲート７の幅員を変えるには、円筒体１３の両端に取り付けた固定用環状体１５の保持部材６の略コ字型の溝状部にはまり込んでネジ部材８によりねじ止め固定されているゲート７を取り外し、物品間口５の横幅サイズに応じたゲート７に交換して再度ネジ部材８でねじ止めする。
【００２８】  また、物品識別情報２３の読取手段２４として、手、指、あるいは身体の前面等に装着したウエラブル読取手段を用いることもできる。特に、物品が小さな場合には容器から物品２２を片手で取り出して、もう一方の手、あるいは身体の前面に装着したウエラブル読取手段によって物品識別情報２３を読み取ることで物品間口５の前面の任意の場所等において、物品仕分け作業の開始から完了までの作業が可能となるので、作業者が移動する距離も短くなり、作業効率を高めることも可能となる。
【符号の説明】
【００２９】  １…ゲートアソート装置
３ａ…縦方向フレーム
３ｃ…回動手段保持フレーム
５…物品間口
６…保持部材
７…ゲート
８…ネジ部材
１１…回動手段
１３…円筒体
１４…支持体
１５…固定用環状体
１７…カムフォロア取付環状体
１８…カムフォロア
２０…物品容器
２１…物品容器識別情報
２２…物品
２３…物品識別情報
２４…読取手段
２５…制御装置
２６…スピーカ
３１ａ，３１ｂ…ストッパー（仰角ストッパー、俯角ストッパー）
３２ａ，３２ｂ…突起
４０…直線駆動手段
４２…駆動軸
４４…回転防止手段
５０…円筒カム
５２ａ，５２ｂ…カム斜面
【要約】
【課題】各段の物品間口のゲートの俯仰位置を作業がし易い位置に設定することで人間工学を利用した認知強化機構を付与する。
【解決手段】直線駆動手段４０によって円筒体１３を回動可能とした回動手段１１を複数の物品間口５のそれぞれに装着し、直線駆動手段４０への駆動力の付与によって所定の物品間口５のゲート７の俯仰動作をするもので、物品間口５の中身が見える程度に物品間口５上方の円筒体１３に板状のゲート７が配されてなり、物品間口５の幅サイズに応じてゲート７の幅員を変更可能となるよう円筒体１３に保持部材６を設け、高い段位置にある物品間口５はゲート７と比較して、低い段位置にある物品間口５はゲート７を大きく開き、人間工学を利用した認知強化機構を付与可能にする。
【選択図】図１【図１】
0006883720.tif 000002
【図２】
0006883720.tif 000003
【図３Ａ】
0006883720.tif 000004
【図３Ｂ】
0006883720.tif 000005
【図４】
0006883720.tif 000006